(57)【要約】【課題】壁部から室内に突出する前面パネルの高さを低く形成できる換気扇を提供することを目的とする。【解決手段】室内と室外を連通するように壁部１に設けた風洞パイプ２に装着される筒状部５、筒状部５の室内側開口の外周に設けたフランジ部７と、フランジ部７の周辺の背面側に設けた立上り部８とを設けた本体フレーム９と、本体フレーム９に設けられる送風手段１０および前面パネル１１とフランジ部７の背面側に設けられる速結端子１２とを備え、フランジ部７を左右方向もしくは上下方向に中央が略かまぼこ状に膨出する湾曲部１３により形成し、速結端子１２を湾曲部１３の中央寄りに配設することにより、壁部１から室内に突出する前面パネル１１の高さを低く形成できる換気扇が得られる。【選択図】図１
2007218555.tif 000002
【特許請求の範囲】
【請求項１】
室内と室外を連通するように壁部に埋設された風洞パイプに装着される形状の筒状部と、この筒状部の室内側開口の外周に半径方向に張り出し略方形状に形成されたフランジ部と、このフランジ部の周辺の背面側に形成した立上り部とを設けた本体フレームと、この本体フレームの前記筒状部に設けられる送風手段と、前記本体フレームの前面側に設けられる前面パネルと、前記本体フレームのフランジ部の背面側に設けられる速結端子とを備え、前記本体フレームのフランジ部を左右方向もしくは上下方向に中央が略かまぼこ状に膨出する湾曲部により形成し、前記速結端子を湾曲部の中央寄りに配設した換気扇。
【請求項２】
速結端子を、左右方向に湾曲部を形成したフランジ部の内面側の上部に配設した請求項１記載の換気扇。
【請求項３】
フランジ部の湾曲部に沿う形状の前面パネルを設けた請求項１または２記載の換気扇。
【請求項４】
前面パネルに設けられる格子を左右方向に略かまぼこ状に膨出した請求項２または３記載の換気扇。
【請求項５】
フランジ部に形成される湾曲部の膨出量の最大部位に４ｍｍ以上の丸孔または角孔よりなる水抜き孔を設けた請求項１〜４のいずれかに記載の換気扇。
【請求項６】
電源ケーブルの引き廻し位置に、断面が長円形状の電源ケーブルを横向き状態で挟み引っ掛けられることを意図する引っ掛け部をフランジ部に設けた請求項１〜５のいずれかに記載の換気扇。
【請求項７】
フランジ部の背面側に結露水を水抜き孔に誘導する結露水誘導リブを前記フランジ部の補強を兼ねるように設けた請求項１〜６のいずれかに記載の換気扇。
【請求項８】
送風手段のモータが取り付けられる本体フレームの筒状部に静翼を設けた請求項１〜７のいずれかに記載の換気扇。
【請求項９】
フランジ部の上部側の立上り部に突起部を設け、前面パネルに前記突起部の係合孔を設け、前記前面パネルの下方部に前記フランジ部に係脱自在となる爪を設けた請求項１〜８のいずれかに記載の換気扇。
【発明の詳細な説明】
【技術分野】
【０００１】
本発明は、室内外を連通するように壁部内に埋設された風洞パイプ内に装着されて換気を行う換気扇に関する。
【背景技術】
【０００２】
従来、この種の換気扇の一例として半径方向に張り出したフランジ部の背面側に速結端子や電源スイッチが収納される換気扇が知られている（例えば、特許文献１参照）。
【０００３】
以下、その換気扇について図６および図７を参照しながら説明する。
【０００４】
図に示すように、室内と室外側を連通するパイプ１０１に挿入する風洞１０２を有する本体１０３と羽根車１０４とモータ１０５よりなる送風機と、風洞１０２の前部に半径方向に張り出す略正方形のフランジ部１０６と、このフランジ部１０６の中央の開口にはベルマウス１０７が取り付けられ、フランジ部１０６と、フランジ部１０６の背面側に突出した立上り部１０８により形成された収納部１０９の隅部には、パッケージ１１０を嵌め、パッケージ１１０に速結端子１１１と分圧用コンデンサ１１２等の電器部品および電源スイッチ１１３を設けフランジ部１０６の前方には化粧グリル１１４を設けている。
【特許文献１】特開２００５−８３５８７号公報（［００１２］〜［００１４］、図１、図３）
【発明の開示】
【発明が解決しようとする課題】
【０００５】
このような従来の換気扇では、速結端子１１１と分圧用コンデンサ１１２等の電器部品および電源スイッチ１１３をフランジ部１０６の背面側に突出した立上り部１０８により形成される収納部１０９の隅部に配設されるため、フランジ部１０６の背面側に突出する４周の立上り部１０８の高さを電装部品の収納できる高さにする必要があり、化粧グリル１１４は壁部から室内に大きく突出するという課題があり、壁部から室内に突出す化粧グリル１１４の高さを低くして違和感を与えないようにするとともにデザイン性を高めることが要求されている。
【０００６】
本発明はこのような従来の課題を解決するものであり、壁部から室内に突出する前面パネル（化粧グリル）の高さを低くして薄形に形成できる換気扇を提供することを目的としている。
【課題を解決するための手段】
【０００７】
本発明の換気扇は上記目的を達成するために、室内と室外を連通するように壁部に埋設された風洞パイプに装着される形状の筒状部と、この筒状部の室内側開口の外周に半径方向に張り出し略方形状に形成されたフランジ部と、このフランジ部の周辺の背面側に形成した立上り部とを設けた本体フレームと、この本体フレームの前記筒状部に設けられる送風手段と、前記本体フレームの前面側に設けられる前面パネルと、前記本体フレームのフランジ部の背面側に設けられる速結端子とを備え、前記本体フレームのフランジ部を左右方向もしくは上下方向に中央が略かまぼこ状に膨出する湾曲部により形成し、前記速結端子を湾曲部の中央寄りに配設したものである。
【０００８】
この手段により、フランジ部の厚みを薄くすることができ、前面パネルを薄形に形成できる換気扇が得られる。
【０００９】
また、他の手段は、速結端子を、左右方向に湾曲部を形成したフランジ部の内面側の上部に配設したものである。
【００１０】
この手段により、壁取り付けの際に、結露水による漏電の発生を防止できる換気扇が得られる。
【００１１】
また、他の手段は、フランジ部の湾曲部に沿う形状の前面パネルを設けたものである。
【００１２】
この手段により、前面パネルを薄形に形成できる換気扇が得られる。
【００１３】
また、他の手段は、前面パネルに設けられる格子を左右方向に略かまぼこ状に膨出したものである。
【００１４】
この手段により、成型時および保管時の格子の変形を防止できる換気扇が得られる。
【００１５】
また、他の手段は、フランジ部に形成される湾曲部の膨出量の最大部位に４ｍｍ以上の丸孔または角孔よりなる水抜き孔を設けたものである。
【００１６】
この手段により、天井取り付けの際にフランジ部に結露水が溜まるのを防止できる換気扇が得られる。
【００１７】
また、他の手段は、電源ケーブルの引き廻し位置に、断面が長円形状の電源ケーブルを横向き状態で挟み引っ掛けられることを意図する引っ掛け部をフランジ部に設けたものである。
【００１８】
この手段により、配線の施工性が向上できる換気扇が得られる。
【００１９】
また、他の手段は、フランジ部の背面側に結露水を水抜き孔に誘導する結露水誘導リブを前記フランジ部の補強を兼ねるように設けたものである。
【００２０】
この手段により、天井取り付けの際に結露水による漏電の防止ができるとともにフランジ部の補強をすることができる換気扇が得られる。
【００２１】
また、他の手段は、送風手段のモータが取り付けられる本体フレームの筒状部に静翼を設けたものである。
【００２２】
この手段により、良好な送風性能を得ることができる換気扇が得られる。
【００２３】
また、他の手段は、フランジ部の上部側の立上り部に突起部を設け、前面パネルに前記突起部の係合孔を設け、前記前面パネルの下方部に前記フランジ部に係脱自在となる爪を設けたものである。
【００２４】
この手段により、前面パネルを誤って取り付けることがなく、確実に取り付けないと取り付かない換気扇が得られる。
【発明の効果】
【００２５】
本発明によれば、フランジ部の厚みを薄くすることができ、前面パネルを薄形にできるという効果のある換気扇を提供できる。
【００２６】
また、結露水による漏電の発生を防止できるという効果のある換気扇を提供できる。
【００２７】
また、格子の変形を防止できるという効果のある換気扇を提供できる。
【００２８】
また、天井取り付けの際、フランジ部に結露水の溜まるのが防止できるという効果のある換気扇を提供できる。
【００２９】
また、フランジ部の補強ができるという効果のある換気扇を提供できる。
【００３０】
また、良好な送風性能を得ることができるという効果のある換気扇を提供できる。
【００３１】
また、前面パネルを取り付ける際に誤って取り付くことがない効果のある換気扇を提供できる。
【発明を実施するための最良の形態】
【００３２】
本発明の請求項１記載の換気扇は、室内と室外を連通するように壁部に埋設された風洞パイプに装着される形状の筒状部と、この筒状部の室内側開口の外周に半径方向に張り出し略方形状に形成されたフランジ部と、このフランジ部の周辺の背面側に形成した立上り部とを設けた本体フレームと、この本体フレームの前記筒状部に設けられる送風手段と、前記本体フレームの前面側に設けられる前面パネルと、前記本体フレームのフランジ部の背面側に設けられる速結端子とを備え、前記本体フレームのフランジ部を左右方向もしくは上下方向に中央が略かまぼこ状に膨出する湾曲部により形成し、前記速結端子を湾曲部の中央寄りに配設したものであり、例えば湾曲部を左右方向に設けた場合にはフランジ部の左右端部に形成される立上り部の高さを低くすることができ、これに伴い前面パネルの左右端部を薄く形成することができて全体として薄形に形成でき壁部からの突出量を少なくすることができるとともに、フランジ部の上下に設けられる立上り部は中央部が高くなるので、立上り部が高くなっている中央部の裏側のフランジ部の空間に容易に速結端子を設けることができるという作用を有する。
【００３３】
また、請求項２記載の換気扇は、速結端子を左右方向に湾曲部を形成したフランジ部の内面側の上部に配設したものであり、速結端子がフランジ部の内面側の上部に配設されることにより、本体フレームが結露状態となり結露水が発生しても、発生した結露水は下方に向かい集まり流れることで、上部に配設されている速結端子には結露水が集まりにくくなって結露水が速結端子に付着して漏電を発生することが防止できるという作用を有する。
【００３４】
また、請求項３記載の換気扇は、フランジ部の湾曲部に沿う形状の前面パネルを設けたものであり、前面パネルをフランジ部の湾曲部に沿う形状にすることにより、薄形に形成されるフランジ部と同様、前面パネルを薄く形成することができるという作用を有する。
【００３５】
また、請求項４記載の換気扇は、前面パネルに設けられる格子を左右方向に略かまぼこ状に膨出したものであり、前面パネルの成型時に格子を平坦状に形成した場合のように凹みを生じることが解消され、また成型時のひけ等による変形を防止することができるという作用を有する。
【００３６】
また、請求項５記載の換気扇は、フランジ部に形成される湾曲部の膨出量の最大部位に４ｍｍ以上の丸孔または角孔よりなる水抜き孔を設けたものであり、換気扇を浴室の天井等に取り付けたときに発生した結露水は、下方に向かい湾曲部の膨出量の最大部位に設けた水抜き孔により排出され、本体フレームのフランジ部に結露水が溜まるのが防止できるという作用を有する。
【００３７】
また、請求項６記載の換気扇は、電源ケーブルの引き廻し位置に、断面が長円形状の電源ケーブルを横向き状態で挟み引っ掛けられることを意図する引っ掛け部をフランジ部に設けたものであり、断面が長円形状の電源ケーブルは、引っ掛け部に対し、横向き状態でなければ挟み込むことができないで、フランジ部の裏面側の懐が薄くても、長円形断面のＶＶＦケーブルが縦に納まる不具合がなくなり、施工性の向上を図ることができるという作用を有する。
【００３８】
また、請求項７記載の換気扇は、フランジ部の背面側に結露水を水抜き孔に誘導する結露水誘導リブを前記フランジ部の補強を兼ねるように設けたものであり、換気扇を浴室の天井等にダクトを介して取り付けたときに、ダクト内から滴下した結露水がフランジ部の背面側により受け止められたのち、結露水誘導リブに沿い水抜き孔に、誘導され、フランジ部の背面側に設けた速結端子側に結露水が流れ込むのが防止され、漏電を防止できるとともに、結露水誘導リブはフランジ部を補強するように配設されていることにより、フランジ部の補強を図ることができるという作用を有する。
【００３９】
また、請求項８記載の換気扇は、送風手段のモータが取り付けられる本体フレームの筒状部に静翼を設けたものであり、本体フレームの筒状部に設けた静翼によって空気流が整流されることにより空気流がスムーズに流れることとなり、筒状部の室内側開口から半径方向に張り出しフランジ部を形成するときに形成されるベルマウス部分の形状が短い場合や異形であったとしても、良好な送風性能を得ることができ、フランジ部を薄形に形成できるという作用を有する。
【００４０】
また、請求項９記載の換気扇は、フランジ部の上部側の立上り部に突起部を設け、前面パネルに前記突起部の係合孔を設け、前記前面パネルの下方部に前記フランジ部に係脱自在となる爪を設けたものであり、前面パネルが壁部等に密着する位置においてのみ取り付けが可能になることにより、前面パネルの不完全取り付けが防止できるとともに、施工後または掃除後においても前面パネルの確実な取り付けを促すことができ、インテリア性も維持することができるという作用を有する。
【００４１】
以下、本発明の実施の形態について図面を参照しながら説明する。
【００４２】
（実施の形態１）
図１〜図５に示すように、室内と室外を連通するように壁部１に埋設された風洞パイプ２に板ばね３およびパッキン４を介して装着される形状の筒状部５と、筒状部５の室内側開口の外周にベルマウス部６を介して半径方向に張出し、略方形状に形成されたフランジ部７と、フランジ部７の周辺の背面側の形成した立上り部８とを設けた本体フレーム９と、本体フレーム９の筒状部５に設けられるプロペラファンからなる送風手段１０と、本体フレーム９の前面側に設けたれる速結端子１２とを備え、本体フレーム９のフランジ部７を左右方向もしくは上下方向に中央が略かまぼこ状に膨出する湾曲部１３により形成し、速結端子１２を湾曲部１３の中央寄りに配設する。
【００４３】
また、速結端子１２を左右方向に湾曲部１３を形成したフランジ部７の内面側の上部に配設し、フランジ部７の湾曲部１３に沿う形状の前面パネル１１を設け、前面パネル１１に設けられる格子１４を左右方向にかまぼこ状に膨出して形成し、フランジ部７に形成される湾曲部１３の膨出量の最大部位に４ｍｍ以上の丸孔または角孔よりなる水抜き孔１５を設け、フランジ部７の背面側に結露水を水抜き孔１５に誘導する結露水誘導リブ１６をフランジ部７の補強を兼ねるように設ける。
【００４４】
また、送風手段１０のモータ１７の取り付けられる部位の筒状部５に静翼１８を設け、フランジ部７に設けられる電源ケーブルの引き廻し位置に、断面が長円形状の電源ケーブル１９が横向き状態で挟み引っ掛けられることを意図するＬ字状の引っ掛け部２０をフランジ部７に設け、フランジ部７の上部側の立上り部８に突起部２１を設け、前面パネル１１の突起部２１の係合孔２２を設け、前面パネル１１の下方部にフランジ部７に係脱自在となる爪２３を設け構成する。
【００４５】
上部構成において、壁部１に換気扇を取り付けるときには、壁部１に室内と室外を連通するように設けた風洞パイプ２に本体フレーム９の筒状部５を板ばね３を介して装着し、換気扇を取り付け、浴室２４の天井２５に取り付けるときには、浴室２４と室外を連通するダクト２６を浴室２４の天井裏に配設し、ダクト２６に本体フレーム９の筒状部５を板ばね３を介して装着し換気扇を取り付ける。
【００４６】
そして、風洞パイプ２またはダクト２６に取り付けた換気扇を運転すると、送風手段１０が駆動し、室内の空気が風洞パイプ２あるいはダクト２６を介して室外に排気され換気が行われることとなる。
【００４７】
このように実施の形態１の発明によれば、室内と室外を連通するように壁部１に埋設された風洞パイプ２に装着される形状の筒状部５と、筒状部５の室内側開口の外周に半径方向に張り出し略方形状に形成されたフランジ部７と、フランジ部７の周辺の背面側に形成した立上り部８とを設けた本体フレーム９と本体フレーム９の筒状部５に設けられる送風手段１０と、本体フレーム９の前面側に設けられる前面パネル１１と、本体フレーム９のフランジ部７の背面側に設けられる速結端子１２とを備え、本体フレーム９のフランジ部７を左右方向もしくは上下方向に中央が略かまぼこ状に膨出する湾曲部１３により形成し、速結端子１２も湾曲部１３の中央寄りに配設したので、例えば湾曲部１３を左右方向に設けた場合には、フランジ部７の左右端部に形成される立上り部８の高さを低くすることができ、これに伴い前面パネル１１の左右端部を薄く形成することができて全体として薄形に形成でき壁部１から突出量を少なくすることができるとともに、フランジ部７の上下に設けられる立上り部８は中央部が高くなるので、立上り部８の高くなっている中央部裏側にフランジ部７の空間に容易に速結端子１２を設けることができることとなる。
【００４８】
また、速結端子１２を左右方向に湾曲部１３を形成したフランジ部７の内面側の上部に配設したものであり、速結端子１２がフランジ部７の内面側の上部に配設したので、本体フレーム９が結露状態となり結露水が発生しても、発生した結露水は下方に向かい集まり流れることで、上部に配設されている速結端子１２には結露水が集まりにくくなって結露水が速結端子１２に付着して漏電を発生することが防止できることとなる。
【００４９】
また、フランジ部７の湾曲部１３に沿う形状の前面パネル１１を設けたので、前面パネル１１をフランジ部７の湾曲部１３に沿う形状にすることにより、薄形に形成されるフランジ部７と同様、前面パネル１１を薄く形成することができることとなる。
【００５０】
また、前面パネル１１に設けられる格子１４を左右方向にかまぼこ状に膨出したので、前面パネル１１の成型時に格子１４を平坦状に形成した場合のように凹みを生じることが解消され、また成型時のひけ等による変形を防止することができることとなる。
【００５１】
また、フランジ部７に形成される湾曲部１３の膨出量の最大部位に４ｍｍ以上の丸孔または角孔よりなる水抜き孔１５を設けたので、換気扇を浴室２４の天井２５に取り付けたときに発生した結露水は、下方に向かい湾曲部１３の膨出した部分に流れ、湾曲部１３の膨出量の最大部位に設けた水抜き孔１５により排出され、本体フレーム９のフランジ部７に結露水が溜まるのが防止できることとなる。
【００５２】
また、電源ケーブルの引き廻し位置に、断面が長円形状の電源ケーブル１９を横向き状態で挟み引っ掛けられることを意図する引っ掛け部２０をフランジ部７に設けたので、断面が長円形状の電源ケーブル１９は、引っ掛け部２０に対し、横向き状態でなければ挟み込むことができないで、フランジ部７の裏面側の懐が薄くても、長円形断面の電源ケーブル１９として用いたＶＶＦケーブルが縦に納まり本体フレーム９が壁部１から浮いて設置されてしまうという不具合がなくなり、施工性の向上を図ることができることとなる。
【００５３】
また、フランジ部７の背面側に結露水を水抜き孔１５に誘導する結露水誘導リブ１６を前記フランジ部７の補強を兼ねるように配設したので、換気扇を浴室２４の天井２５にダクト２６を介して取り付けたときに、ダクト２６内から滴下する結露水がフランジ部７の背面側により受け止められたのち、結露水誘導リブ１６に沿い水抜き孔１５に、誘導され、フランジ部７の背面側に設けた速結端子１２側に結露水が流れ込むのが防止され、漏電を防止できるとともに、結露水誘導リブ１６はフランジ部７を補強するように配設されていることにより、フランジ部７の補強を図ることができることとなる。
【００５４】
また、送風手段１０のモータ１７が取り付けられる本体フレーム９の筒状部５に静翼１８を設けたので、本体フレーム９の筒状部５に設けた静翼１８によって空気流が整流されることにより空気流がスムーズに流れることとなり、筒状部５の室内側開口から半径方向に張り出したフランジ部７を形成するときに形成されるベルマウス部分６の形状が短い場合や異形であったとしても、良好な送風性能を得ることができ、フランジ部７を薄形に形成できることとなる。
【００５５】
なお、本実施の形態１では、静翼１８をモータ１７側から、半径方向に放射状に設けているが、筒状部５の内壁から中心に向けて設けても良い。
【００５６】
また、フランジ部７の上部側の立上り部８に突起部２１を設け、前面パネル１１に前記突起部２１の係合孔２２を設け、前記前面パネル１１の下方部に前記フランジ部７に係脱自在となる爪２３を設けたので、前面パネル１１が壁部１等に密着する位置においてのみ取り付けが可能になることにより、前面パネル１１の不完全取り付けが防止できるとともに、施工後または掃除後においても前面パネル１１の確実な取り付けを促すことができ、インテリア性も維持することができることとなる。
【産業上の利用可能性】
【００５７】
本発明にかかる換気扇の前面パネルの高さを低く形成する構造は、速結端子等の電器部品および電源スイッチを収納する収納部の配置構造によって、空調機等に設けられている前面パネルの高さを低く形成することにも適応できる。
【図面の簡単な説明】
【００５８】
【図１】本発明の実施の形態１の換気扇の設置状態を示す断面図
【図２】同換気扇の背面図
【図３】同換気扇を天井に取り付けた状態を示す断面図
【図４】同換気扇を浴室の天井に設置した状態を示す概略図
【図５】同換気扇の本体フレームと前面パネルの分解斜視図
【図６】従来の換気扇の構成図
【図７】同換気扇の背面視での斜視図
【符号の説明】
【００５９】
１    壁部
２    風洞パイプ
５    筒状部
７    フランジ部
８    立上り部
９    本体フレーム
１０  送風手段
１１  前面パネル
１２  速結端子
１３  湾曲部
１４  格子
１５  水抜き孔
１６  結露水誘導リブ
１７  モータ
１８  静翼
１９  電源ケーブル
２０  引っ掛け部
２１  突起部
２２  係合孔
２３  爪
【図１】
2007218555.tif 000003
【図２】
2007218555.tif 000004
【図３】
2007218555.tif 000005
【図４】
2007218555.tif 000006
【図５】
2007218555.tif 000007
【図６】
2007218555.tif 000008
【図７】
2007218555.tif 000009